(57)【特許請求の範囲】
【請求項１】
画像データと、当該画像データを分割して得られる複数の部分画像の表示順序を表す順序情報と、ここで前記複数の部分画像は前記順序情報によって順番が指定されている部分画像と指定されていない部分画像とを含み、当該画像データによって表される画像の大きさを示すサイズ情報とを含む属性情報を対応付けて格納した格納手段をアクセスするアクセス手段と、
前記アクセス手段を介して、表示すべき画像データの属性情報を前記格納手段より取得し、該属性情報に含まれるサイズ情報によって示される画像の大きさに対応したフレーム枠を表示する第１表示制御手段と、
前記表示すべき画像データの前記属性情報に含まれる順序情報によって順番が指定されている部分画像については、該順序情報に従って、前記アクセス手段を介して前記格納手段より順次に部分画像を取得して前記フレーム枠内の対応する位置に表示し、該順序情報によって順番が指定されていない部分画像については、予め決められた順番に従って前記アクセス手段を介して前記格納手段より部分画像を取得して前記フレーム枠内の対応する位置に表示する第２表示制御手段とを備えることを特徴とする画像表示装置。
【請求項２】
前記フレーム枠内において、前記順序情報によって順番が指定されていない部分画像に対応する部分には、対応する部分画像が表示されるまで所定の画像を表示する第３表示制御手段を更に備えることを特徴とする請求項１に記載の画像表示装置。
【請求項３】
通信線を介して接続されるクライアント装置とサーバ装置を含む画像表示システムであって、
前記サーバ装置が、
画像データと、当該画像データを分割して得られる複数の部分画像の表示順序を表す順序情報と、ここで前記複数の部分画像は前記順序情報によって順番が指定されている部分画像と指定されていない部分画像とを含み、当該画像データによって表される画像の大きさを示すサイズ情報とを含む属性情報を対応付けて格納した格納手段と、
画像データ要求の発行に応答して、前記格納手段より対応する属性情報を当該画像データ要求の発行元に送信する第１送信手段と、
部分画像の要求に応答して、前記格納手段より要求された部分画像を読出し、これを当該要求の発行元に送信する第２送信手段とを備え、
前記クライアント装置が、
前記画像データ要求を発行する第１発行手段と、
前記第１送信手段によって送信された属性情報に含まれるサイズ情報によって示される画像の大きさに対応したフレーム枠を表示する第１表示手段と、
前記属性情報に含まれる順序情報によって順番が指定されている部分画像については該順序情報に基づいた順序で部分画像を取得するべく前記部分画像の要求を発行し、該順序情報によって順番が指定されていない部分画像については予め決められた順番に従った順序で部分画像を取得するべく前記部分画像の要求を発行する第２発行手段と、
前記第２送信手段によって送信された部分画像を前記フレーム枠内の対応する位置に順次表示する第２表示手段とを備えることを特徴とする画像表示システム。
【請求項４】
前記サーバ装置は、前記フレーム枠内において、前記順序情報によって順番が指定されていない部分画像に対応する部分に、対応する部分画像が表示されるまで所定の画像を表示する第３表示手段を更に備えることを特徴とする請求項３に記載の画像表示システム。
【請求項５】
画像データと、当該画像データを分割して得られる複数の部分画像の表示順序を表す順序情報と、ここで前記複数の部分画像は前記順序情報によって順番が指定されている部分画像と指定されていない部分画像とを含み、当該画像データによって表される画像の大きさを示すサイズ情報とを含む属性情報を対応付けて格納した格納手段より、表示すべき画像データの属性情報を取得する第１取得工程と、
前記第１取得工程で取得された属性情報に含まれるサイズ情報によって示される画像の大きさに対応したフレーム枠を表示部に表示する第１表示制御工程と、
前記取得工程で取得された属性情報に含まれる順序情報によって順番が指定されている部分画像については該順序情報に従って前記格納手段より順次に部分画像を取得し、該順序情報によって順番が指定されていない部分画像については、予め決められた順番に従って前記格納手段より順次に部分画像を取得する第２取得工程と、
前記第２取得工程で順次に取得される部分画像を、前記フレーム枠内の対応する位置に表示する第２表示制御工程とを備えることを特徴とする画像表示方法。
【請求項６】
前記フレーム枠内において、前記順序情報によって順番が指定されていない部分画像に対応する部分に、対応する部分画像が表示されるまで所定の画像を表示する第３表示制御工程を更に備えることを特徴とする請求項５に記載の画像表示方法。
【請求項７】
画像表示処理をコンピュータに実行させるための制御プログラムを格納した記憶媒体であって、前記画像表示処理が、
画像データと、当該画像データを分割して得られる複数の部分画像の表示順序を表す順序情報と、ここで前記複数の部分画像は前記順序情報によって順番が指定されている部分画像と指定されていない部分画像とを含み、当該画像データによって表される画像の大きさを示すサイズ情報とを含む属性情報を対応付けて格納した格納手段より、表示すべき画像データの属性情報を取得する第１取得工程と、
前記第１取得工程で取得された属性情報に含まれるサイズ情報によって示される画像の大きさに対応したフレーム枠を表示部に表示する第１表示制御工程と、
前記取得工程で取得された属性情報に含まれる順序情報によって順番が指定されている部分画像については該順序情報に従って前記格納手段より順次に部分画像を取得し、該順序情報によって順番が指定されていない部分画像については、予め決められた順番に従って前記格納手段より順次に部分画像を取得する第２取得工程と、
前記第２取得工程で順次に取得される部分画像を、前記フレーム枠内の対応する位置に表示する第２表示制御工程とを備えることを特徴とする記憶媒体。
【発明の詳細な説明】
【０００１】
【発明の属する技術分野】
本発明は、画像情報処理装置及びシステム及びそれらの方法に関する。
【０００２】
【従来の技術】
近年、デジタルカメラやスキャナ等の普及により、画像データをハードディスク等の記憶媒体に蓄積する機会が急増している。また、インターネット等の通信網の普及により、遠隔のコンピュータによって管理されている画像データをユーザ自身のコンピュータに通信網をダウンロードし、表示させるということも一般的に行われている。
【０００３】
このような画像データの蓄積において、一般的に用いられている画像フォーマットの例を図８に示す。図８に示すように、画像ファイルはヘッダ部と画像データ部に分けられる。一般的にヘッダ部には、その画像ファイルからデータを読み取るときに必要な情報や、画像の内容を説明する付帯的な情報が格納される。図８の例では、その画像フォーマットを示す画像フォーマット識別子、ファイルサイズ、画像の幅を示すＸ方向ピクセル数、画像の高さを示すＹ方向ピクセル数、画像の階調数（色数）を表す深さ方向サイズ、圧縮の有無、解像度、画像データの格納位置へのオフセット、カラーパレットの情報（サイズ・データ）などの情報が格納されている。
【０００４】
また、画像データ部は画像データを順次格納している部分である。このような画像フォーマットの代表的な例としては、Microsoft社のＢＭＰフォーマットやCompuserve社のＧＩＦフォーマットなどが広く普及している。
【０００５】
一般に、このような画像ファイルをプログラムを用いて表示する際には、ファイルのどの部分から表示するかをプログラムが知っている必要があった。通常、画像ファイルを開いた場合には画像の全体を表示するためにファイルの先頭から読み出し、画面の左上から表示していくのが一般的である。
【０００６】
【発明が解決しようとする課題】
上述のように、従来技術では、画像データに基づく画像の表示順序は固定的である。このため、仮に、画像を制作した側に「画像中のこの部分をまず表示して見てもらいたい」という意図があったとしても、このような意図を反映させる術はない。
【０００７】
本発明は、上記の問題に鑑みてなされたものであり、画像データに基づく画像の表示に際して、当該画像の各部を所望の順序で表示することが可能な画像処理方法及び装置及びシステムを提供することを目的とする。
【０００８】
【課題を解決するための手段】
上記の目的を達成するための本発明の一態様による画像表示装置は例えば以下の構成を備える。すなわち、
画像データと、当該画像データを分割して得られる複数の部分画像の表示順序を表す順序情報と、ここで前記複数の部分画像は前記順序情報によって順番が指定されている部分画像と指定されていない部分画像とを含み、当該画像データによって表される画像の大きさを示すサイズ情報とを含む属性情報を対応付けて格納した格納手段をアクセスするアクセス手段と、
前記アクセス手段を介して、表示すべき画像データの属性情報を前記格納手段より取得し、該属性情報に含まれるサイズ情報によって示される画像の大きさに対応したフレーム枠を表示する第１表示制御手段と、
前記表示すべき画像データの前記属性情報に含まれる順序情報によって順番が指定されている部分画像については、該順序情報に従って、前記アクセス手段を介して前記格納手段より順次に部分画像を取得して前記フレーム枠内の対応する位置に表示し、該順序情報によって順番が指定されていない部分画像については、予め決められた順番に従って前記アクセス手段を介して前記格納手段より部分画像を取得して前記フレーム枠内の対応する位置に表示する第２表示制御手段とを備える。
【０００９】
また、上記の目的を達成するための本発明の他の態様による画像表示システムは例えば以下の構成を備える。すなわち、
通信線を介して接続されるクライアント装置とサーバ装置を含む画像表示システムであって、
前記サーバ装置が、
画像データと、当該画像データを分割して得られる複数の部分画像の表示順序を表す順序情報と、ここで前記複数の部分画像は前記順序情報によって順番が指定されている部分画像と指定されていない部分画像とを含み、当該画像データによって表される画像の大きさを示すサイズ情報とを含む属性情報を対応付けて格納した格納手段と、
画像データ要求の発行に応答して、前記格納手段より対応する属性情報を当該画像データ要求の発行元に送信する第１送信手段と、
部分画像の要求に応答して、前記格納手段より要求された部分画像を読出し、これを当該要求の発行元に送信する第２送信手段とを備え、
前記クライアント装置が、
前記画像データ要求を発行する第１発行手段と、
前記第１送信手段によって送信された属性情報に含まれるサイズ情報によって示される画像の大きさに対応したフレーム枠を表示する第１表示手段と、
前記属性情報に含まれる順序情報によって順番が指定されている部分画像については該順序情報に基づいた順序で部分画像を取得するべく前記部分画像の要求を発行し、該順序情報によって順番が指定されていない部分画像については予め決められた順番に従った順序で部分画像を取得するべく前記部分画像の要求を発行する第２発行手段と、
前記第２送信手段によって送信された部分画像を前記フレーム枠内の対応する位置に順次表示する第２表示手段とを備える。
【００１０】
更に、本発明によれば、上記画像表示装置およびシステムにおいて実行される画像表示方法が提供される。更に、本発明によれば、そのような画像表示方法をコンピュータに実現させるための制御プログラムを格納した記憶媒体が提供される。
【００１１】
【発明の実施の形態】
以下、添付の図面を参照して、本発明の好適な実施形態を説明する。
【００１２】
［第１の実施形態］
＜画像処理装置の説明＞
図１は第１の実施形態による画像処理装置の構成を示すブロック図である。図１において、１はＣＰＵであり、ＲＯＭ２もしくはＲＡＭ３に格納された制御プログラムに従って、本画像処理装置における各種処理を実行する。２はＲＯＭであり、ＣＰＵ１によって実行される各種制御プログラムを格納する。３はＲＡＭであり、ＣＰＵ１によって実行されるべく外部記憶装置４からロードされた制御プログラムを格納したり、ＣＰＵ１が各種制御を遂行するにあたっての作業領域を提供したりする。なお、本実施形態では、後述のフローチャートに示される制御を実現するための制御プログラムはＲＯＭ２に格納されているものとする。
【００１３】
４はハードディスク等の外部記憶装置であり、各種制御プログラム（アプリケーションプログラム）や、画像データを格納する。５は入力装置であり、キーボードやポインティングデバイスを有し、ユーザがＣＰＵ１に対して各種の指示入力を行う。６はディスプレイであり、ＣＰＵ１の制御により、指定された画像データに基づく画像表示等、各種表示を行う。
【００１４】
＜画像データの説明＞
外部記憶装置４には、画像データ４ａが格納される。画像データ４ａは複数の部分画像（以下、タイルという）に分割されて管理され、タイルを単位として画像データの読み出し、表示が可能となっている。
【００１５】
図２は画像を複数のタイルに分割した例を示す図である。この例では対象となる画像を縦方向４タイル、横方向５タイルの計２０タイルに分割している。図中の数字はタイル番号を示しており、画像の左上から０，１，２．．．のように順次番号付けされている。これらの番号は識別番号として用いられる。
【００１６】
このように画像をタイルに分割し、タイルを単位として読み出しが可能な画像フォーマットの例としては、FlashPix，TIFFが公知技術としてあげることができる。FlashPixはKodak，HP，LivePicture，Microsoftの４社が１９９６年に提案したフォーマットであり、その仕様は一般に公開されている。また、TIFFは現在はAdobe社の画像用フォーマットとして広く知られており、現在のバージョンは６.０である。この仕様も一般に公開されている。
【００１７】
＜画像表示順序についての説明＞
また、図１に示されるように、各画像データには、タイル画像の表示順序を示すディスプレイリストプロパティ４ｂが添付されている。図３は本実施形態によるディスプレイリストプロパティのデータ構成例を示す図である。この例ではプロバティ０にタイル番号６が、プロパティ１にタイル番号１１が、プロパティ２にタイル番号１６が記録されており、プロパティ３には当該リストの最後であることを示すＥＯＬコード（End Of List）が記録されている。図３に例示したディスプレイリストプロパティでは、図２の画像中の男性が映っているタイル６，１１，１６が示されている。
【００１８】
次にこの蓄積された情報を使って画像を表示する際の動作について説明する。図４は第１の実施形態による画像表示動作の手順を説明するフローチャートである。
【００１９】
表示すべき画像データが指定されると、まず、ステップＳ１において、プログラムが動作するために必要なメモリ領域（ＲＡＭ）の確保、初期値の設定等を行う。次に、ステップＳ２において、指定された画像データを表示するために必要な情報を画像ヘッダ部より獲得する。画像ヘッダ部より獲得される情報としては、画像の縦方向、横方向の画素数、１画素あたりの画像データのビット数、圧縮方式、タイルのサイズ、個数等である。また、画像表示順序を示すディスプレイリストプロパティが設定されていれば、本ステップにおいてそのリストを読み込む。
【００２０】
次に、ステップＳ３において、ステップＳ２で読み出した画像情報の中に、ディスプレイリストプロパティが存在したかどうかを判定する。ディスプレイリストが存在した場合は、ステップＳ４に進み、当該ディスプレイリストプロパティの内容を読み出す。このディスプレイリストプロパティが存在するということは、その画像の制作者の意図として画像を表示する順序が設定されているということである。従って、ディスプレイリストプロパティによって指定された順序で部分画像を読み出し、表示を行っていく。すなわち、ステップＳ４で、ディスプレイリストプロパティに登録された順序でタイルデータを読み出す（図３の例では、識別番号「６」→「１１」→「１６」のタイルデータがこの順序で読み出される）。こうして読み出されたタイルデータは、ステップＳ６において直ちに表示される。
【００２１】
図５はディスプレイリストプロパティによって指定されたタイルを表示し終えた時点の表示状態の一例を表す図である。ディスプレイリストプロパティによって指定されていないタイルは、この時点ではまだ表示されていない。ただし、画像のフレーム枠は、ステップＳ２で獲得した画像ヘッダ情報に含まれる画像の大きさによって当該画像全体の大きさを求め、表示を行う。また、ディスプレイリストプロパティに登録されていないタイル部分については、所望のイメージ（所望の色や模様）を用いて表示を行うようにしてもよい。
【００２２】
以上のようにしてディスプレイリストプロパティで指定された部分画像が表示された後は、ステップＳ７において、残りのタイルの画像データを読み出す。そして、ステップＳ８において、ステップＳ７で読み出したタイルデータを順次表示してゆく。なお、ステップＳ７及びＳ８による残りのタイル画像の表示順序は、画面左上から右横方向へ順次行う（タイル０→４、５→９、…、１５→１９）とする。
【００２３】
なお、ステップＳ２で読み出した画像情報の中にディスプレイリストプロパティが存在しなかった場合はステップＳ３よりステップＳ９以降へ進む。ステップＳ９では画像データの左上の部分画像から順次タイルデータの読み出しを行い、ステップＳ１０ではこの順序に従って各タイルを表示する。
【００２４】
以上説明したように、ひとつの画像を部分画像（タイル）領域に分割し、それぞれの部分画像に識別番号を付与し、部分画像の表示順序を示すディスプレイリストプロパティを当該画像に対応づけて蓄積することにより、画像の制作者が意図する表示順序に従って画像を表示することができる。
【００２５】
［第２の実施形態］
上記第１の実施形態では、スタンドアロンのコンピュータによる実現例を説明した。しかしながら、上記実施形態による画像データの蓄積方法、読み出し、表示方法は、ネットワークを介したシステムにも適用可能である。第２の実施形態では、本発明をネットワークを介して実施した場合の構成を示している。
【００２６】
図６は第２の実施形態による画像処理システムの構成例を示す図である。３０２は画像データを蓄積するデータベース、３０１は画像データベースと接続され、かつ、クライアントからの要求信号を受けとり、それに対する応答を返すための画像サーバ、３０３は利用者により操作されるクライアントである。
【００２７】
図７は第２の実施形態の画像サーバとクライアント間における通信形態を説明する図である。図７においてコマンドとはクライアントからサーバに対して送られるものであり、レスポンスとはコマンドに応答してサーバからクライアントに送られるものである。
【００２８】
ＦＩＦコマンドは、通信の最初にクライアントからサーバに送られるコマンドであって、画像データベース内の画像ファイル名を指定する。ＦＩＦレスポンスはこれに対して、画像を表示するために必要な画像の縦方向、横方向の画素数、１画素あたりの画像データのビット数、圧縮方式、タイルのサイズ、個数等の情報をクライアント側へ送信する。また、図３で説明した如きディスプレイリストプロパティが設定されていれば、画像表示順序情報としてそのリストも送信する。
【００２９】
ＴＩＬコマンド／レスポンスは、分割された部分画像（タイル）の送受信に関わるコマンド／レスポンスである。ＴＩＬコマンドでは、クライアントが要求する部分画像の識別番号（タイル番号）をコマンドに付加して送信する。これに応答するＴＩＬレスポンスでは、ＴＩＬコマンドにおいて要求された部分画像のデータを送出する。
【００３０】
図７に従って、第２の実施形態による画像表示動作を説明すると次のとおりである。まず、クライアント３０３は、ステップＳ２１において、ＦＩＦコマンドでサーバ側の画像データ名を指定する。サーバ３０１はＦＩＦコマンドを受け取ると、ステップＳ４１において、画像データベース中より指定された画像データを検索し、得られた画像の表示に必要な情報（以下、画像ヘッダ情報という）を取り出す。そして、ステップＳ４２において、ＦＩＦレスポンスとして、取り出した画像ヘッダ情報をクライアント３０３に送出する。なお、当該画像データにディスプレイリストプロパティ付されている場合は、そのディスプレイリストプロパティに基づく画像表示順情報も画像ヘッダ情報の一部として送信される。
【００３１】
ＦＩＦレスポンスを受けたクライアント３０３は、ステップＳ２２において獲得した画像ヘッダ情報から画素数や圧縮方式などの情報を得る。そして、画像ヘッダ情報が画像表示順序情報を有する場合は、当該情報によって示される順序に従ってタイルを要求するＴＩＬコマンドを発行する（ステップＳ２３、Ｓ２４）。
【００３２】
サーバ３０１は、ＴＩＬコマンドを受け取ると、ステップＳ４３において当該コマンドによって指定されているタイルを、当該画像データより取得する。そして、ステップＳ４４において、取得したタイルを、ＴＩＬコマンドに記述された順序に従って送出することにより、ＴＩＬレスポンスとする。
【００３３】
クライアント３０３は、上記のようにして送出されたＴＩＬレスポンスを受信し、これに含まれるタイルを表示する（ステップＳ２５）。この結果クライアント側では、例えば図５の如き画像が表示される。
【００３４】
その後、クライアント３０３は必要に応じて、残りの部分画像の識別番号をＴＩＬコマンドを使ってサーバ側に送る（ステップＳ２６）。サーバ３０１は、このＴＩＬコマンドで指定された部分画像を、ＴＩＬレスポンスとして送出する（ステップＳ４３、Ｓ４４）。クライアントは、このＴＩＬレスポンスを受け取り、これに含まれるタイルを表示する（ステップＳ２７）。その結果、図２のように画像が完成する。
【００３５】
以上のように、第２の実施形態によれば、ネットワークを介して接続された装置へ画像データを送出する際にも、画像を制作した側の意図に応じた表示順次をクライアントに指示することが可能となる。また、インターネットのように転送速度が不明なネットワークを介した通信の際に、重要な部分をまず表示することが可能になり、操作性が向上する。
【００３６】
さらに、クライアント側の表示領域が画像全体よりも小さい場合は次のような効果が得られる。すなわち、クライアントの表示領域がたとえば図２に示す一つの矩形領域と同じである場合、部分画像６，１１，１６の順で順次表示していくことで、あたかも一つの絵の中をルーペで拡大しながら観察しているような効果を与えることができる（図９）。なお、上記では一つの矩形領域サイズの場合を説明したが、複数分の矩形領域サイズでもかまわない。例えば、２×２個分の矩形領域分のサイズを有している場合には、例えば（6,7,11,12）、（13,14,18,19）、（3,4,8,9）というように、４つのタイルを単位として順次上書きするように構成することもできる（図１０）。なお、複数タイルを順次表示するにおいて、（6,7,11,12）→（12,13,17,18）→（13,14,18,19）というように、一部のタイルを重複させるようにしてもよいことはいうまでもない。また、この場合、ディスプレイプロパティの値の個数は４個となる。
【００３７】
なお、本発明は、複数の機器（例えばホストコンピュータ，インタフェイス機器，リーダ，プリンタなど）から構成されるシステムに適用しても、一つの機器からなる装置（例えば、複写機，ファクシミリ装置など）に適用してもよい。
【００３８】
また、本発明の目的は、前述した実施形態の機能を実現するソフトウェアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、達成されることは言うまでもない。
【００３９】
この場合、記憶媒体から読出されたプログラムコード自体が前述した実施形態の機能を実現することになり、そのプログラムコードを記憶した記憶媒体は本発明を構成することになる。
【００４０】
プログラムコードを供給するための記憶媒体としては、例えば、フロッピディスク，ハードディスク，光ディスク，光磁気ディスク，ＣＤ−ＲＯＭ，ＣＤ−Ｒ，磁気テープ，不揮発性のメモリカード，ＲＯＭなどを用いることができる。
【００４１】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部または全部を行い、その処理によって前述した実施形態の機能が実現される場合も含まれることは言うまでもない。
【００４２】
さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【００４３】
【発明の効果】
以上説明したように、本発明によれば、画像データに基づく画像の表示に際して、当該画像の各部を所望の順序で表示することが可能となる。
【００４４】
【図面の簡単な説明】
【図１】  第１の実施形態による画像処理装置の構成を示すブロック図である。
【図２】  画像を複数のタイルに分割した例を示す図である。
【図３】  本実施形態によるディスプレイリストプロパティのデータ構成例を示す図である。
【図４】  第１の実施形態による画像表示動作の手順を説明するフローチャートである。
【図５】  ディスプレイリストプロパティによって指定されたタイルを表示し終えた時点の表示状態の一例を表す図である。
【図６】  第２の実施形態による画像処理システムの構成例を示す図である。
【図７】  第２の実施形態の画像サーバとクライアント間における通信形態を説明する図である。
【図８】  このような画像データの蓄積において、一般的に用いられている画像フォーマットの例を示す図である。
【図９】  １タイル分の矩形領域に部分画像を順次表示する状態を説明する図である。
【図１０】  ２×２タイル分の矩形領域に部分画像を順次表示する状態を説明する図である。
【図１】
0003720590.tif 000002
【図２】
0003720590.tif 000003
【図３】
0003720590.tif 000004
【図４】
0003720590.tif 000005
【図５】
0003720590.tif 000006
【図６】
0003720590.tif 000007
【図７】
0003720590.tif 000008
【図８】
0003720590.tif 000009
【図９】
0003720590.tif 000010
【図１０】
0003720590.tif 000011